(57)【要約】【課題】電極構造が複雑になるのを防止しつつ、衝撃等の外力に対して強い大型の空気清浄ユニットを実用化する。【解決手段】枠状のユニットケース（31）に、複数の集塵ユニット（70）の配置スペースを区画しかつ集塵ユニット（70）が取り付けられる第１ステー（61，62）を設け、この第１ステー（61，62）に集塵ユニット（70）を取り付けてユニットケース（31）と一体化するとともに、第１ステー（61，62）を通電部材とする。【選択図】図７
2015016405.tif 000002
【特許請求の範囲】
【請求項１】
荷電部（40）と、荷電部（40）に対して空気の流れ方向下流側に配置された集塵部（50）と、該荷電部（40）及び集塵部（50）が取り付けられる矩形枠状のユニットケース（31）とを備え、集塵部（50）が第１電極（71）と第２電極（81）とを組み合わせた複数の集塵ユニット（70）により構成された空気清浄ユニットであって、
上記ユニットケース（31）は、上記複数の集塵ユニット（70）が内部に配列されるフレーム（31c，31d，31e，31f）と、該フレーム（31c，31d，31e，31f）の内側に通された梁であって該フレーム（31c，31d，31e，31f）の内側に各集塵ユニット（70）を配列する複数の配置スペースを区画しかつ上記集塵ユニット（70）が取り付けられる第１ステー（61，62）と、該ユニットケース（31）に集塵ユニット（70）を固定するための固定部（25）とを備え、
上記第１ステー（61，62）が、上記第１電極（71）に給電するための給電部材（61）を構成していることを特徴とする空気清浄ユニット。
【請求項２】
請求項１において、
上記ユニットケース（31）は、上記集塵ユニット（70）を取り付けるためにユニットケース（31）の外面側に位置する第２ステー（63）を有していることを特徴とする空気清浄ユニット。
【請求項３】
請求項２において、
上記固定部（25）は、金属製の上記フレーム（31c，31d，31e，31f）の一部に設けられた切起片（38）を含むことを特徴とする空気清浄ユニット。
【請求項４】
請求項２または３において、
上記フレーム（31c，31d，31e，31f）及び第２ステー（63）がいずれも接地されていることを特徴とする空気清浄ユニット。
【請求項５】
請求項１から４の何れか１つにおいて、
上記集塵ユニット（70）は、高圧電極である導電性樹脂製の上記第１電極（71）と、接地電極である金属製の上記第２電極（81）と、上記第１電極（71）及び第２電極（81）を互いに位置決めして固定する電極固定部材（90）とを有していることを特徴とする空気清浄ユニット。
【発明の詳細な説明】
【技術分野】
【０００１】
本発明は、被処理空気を清浄化する空気清浄ユニットに関するものである。
【背景技術】
【０００２】
従来、荷電部と集塵部とを備え、被処理空気を清浄化する空気清浄ユニットが知られている(例えば、特許文献１，２参照)。荷電部は例えばイオン化線により構成され、集塵部は多数の板電極を平行に配列した電極や格子状に配列した電極により構成されている。特許文献１の空気清浄ユニットでは、集塵部が空気清浄ユニットの枠体とほぼ同じ大きさで形成されている。また、特許文献２の空気清浄ユニットでは、同じ形状をした小型の集塵部を複数個連結して必要な大きさにするようにしている。
【０００３】
ところで、空気清浄ユニットの単位容積あたりの能力を高めるには高集積化が必要になる。一方、電極同士の間隔を狭めると、ユニットが大型になるほど位置関係のズレやバラツキが大きくなって性能低下につながりやすくなる。
【０００４】
また、空気清浄ユニットは空気中の塵埃を捕捉するものであるから、一般には定期的なメンテナンスが必要である。しかし、メンテナンスの際に空気清浄ユニットを乱雑に取り扱ったり落下させたりすると、空気清浄ユニットの破損や歪みが起こるおそれがある。そして、電極の寸法が設計値から変化すると、所期の性能が得られなくなるおそれがある。特に、高集積化のために樹脂製の電極を用いる場合などはそれ自身の重量が大きいから、落下等の衝撃で空気清浄ユニットの全体へのダメージを軽減するために、大型化するほどしっかりした強度保持構造が必要になる。
【先行技術文献】
【特許文献】
【０００５】
【特許文献１】特許第４９６０８３１号公報
【特許文献２】特許第４８３５２８８号公報
【発明の概要】
【発明が解決しようとする課題】
【０００６】
特許文献１では、空気清浄ユニットを大型にするために、電極形状を一定に保つための支持部材を用いているが、支持部材での電気的短絡を防いで性能を維持するには、支持部材に対しても給電の必要があるため構造が複雑化する。具体的には、特許文献１では、空気清浄ユニットの外周に高電圧部を張り巡らせており、その外側に絶縁性の枠を設けなければならない構造であるため、強度が不十分になりやすいし、強度を得るには、さらにその外側を金属等で補強しなければならないのでユニット構造が必要以上に複雑になる。
【０００７】
また、特許文献２では、小型ユニットを連ねて大型の空気清浄ユニットを構成しており、このようにすると、個々の電極寸法を維持しやすいメリットがあるものの、落下等の外力に対する強度を確保するのは難しい。また個々の小型ユニットを伝搬して全小型ユニットに給電されるため、経路途中で異常があるとそこから先のすべての小型ユニットに影響が及ぶし、特に電極が導電性樹脂の場合は、樹脂の固有抵抗により末端までの間で電圧降下が発生し、性能が低下してしまう。
【０００８】
本発明は、このような問題点に鑑みてなされたものであり、その目的は、電極構造が複雑になるのを防止しつつ、衝撃等の外力に対して強い大型の空気清浄ユニットを実用化できるようにすることである。
【課題を解決するための手段】
【０００９】
第１の発明は、荷電部（40）と、荷電部（40）に対して空気の流れ方向下流側に配置された集塵部（50）と、該荷電部（40）及び集塵部（50）が取り付けられる矩形枠状のユニットケース（31）とを備え、集塵部（50）が第１電極（71）と第２電極（81）とを組み合わせた複数の集塵ユニット（70）により構成された空気清浄ユニットを前提としている。
【００１０】
そして、この空気清浄ユニットは、上記ユニットケース（31）が、上記複数の集塵ユニット（70）が内部に配列されるフレーム（31c，31d，31e，31f）と、該フレーム（31c，31d，31e，31f）の内側に通された梁であって該フレーム（31c，31d，31e，31f）の内側に各集塵ユニット（70）を配列する複数の配置スペースを区画しかつ上記集塵ユニット（70）が取り付けられる第１ステー（61，62）と、該ユニットケース（31）に集塵ユニット（70）を固定するための固定部（25）とを備え、上記第１ステー（61，62）が、上記第１電極（71）に給電するための給電部材を構成していることを特徴としている。
【００１１】
この第１の発明では、ユニットケース（31）の内側に第１ステー（61，62）を通すことによりユニットケース（31）の内側に形成された複数の配置スペースのそれぞれに集塵ユニット（70）が配置されて、上記第１ステー（61，62）に集塵ユニット（70）が取り付けられるので、ユニットケース（31）と集塵ユニット（70）とが一体化し、空気清浄ユニットの強度が十分に高められる。また、上記第１電極（71）には、第１ステー（61，62）から給電される。
【００１２】
第２の発明は、第１の発明において、上記ユニットケース（31）が、上記集塵ユニット（70）を取り付けるためにユニットケース（31）の外面側に位置する第２ステー（63）を有していることを特徴としている。
【００１３】
この第２の発明では、ユニットケース（31）に設けられる第２ステー（63）にも集塵ユニット（70）が取り付けられるので、空気清浄ユニットの強度がさらに高められる。
【００１４】
第３の発明は、第２の発明において、上記固定部（25）が、金属製の上記フレーム（31c，31d，31e，31f）の一部に設けられた切起片（38）を含むことを特徴としている。
【００１５】
この第３の発明では、上記集塵ユニット（70）は、上記ユニットケース（31）のフレーム（31c，31d，31e，31f）に対しては、切起片（38）を介して取り付けられる。
【００１６】
第４の発明は、第２または第３の発明において、上記フレーム（31c，31d，31e，31f）及び第２ステー（63）がいずれも接地されていることを特徴としている。
【００１７】
この第４の発明では、ユニットケース（31）のフレーム（31c，31d，31e，31f）と、該ユニットケース（31）の外面側に位置する第２ステー（63）がいずれも接地されているので、ユニットケース（31）の外面側が接地電位になる。
【００１８】
第５の発明は、第１から第４の発明の何れか１つにおいて、上記集塵ユニット（70）が、高圧電極である導電性樹脂製の上記第１電極（71）と、接地電極である金属製の上記第２電極（81）と、上記第１電極（71）及び第２電極（81）を互いに位置決めして固定する電極固定部材（90）とを有していることを特徴としている。
【００１９】
この第５の発明では、集塵ユニット（70）の第１電極（71）と第２電極（81）とが電極固定部材（90）で互いに固定され、その状態でユニットケース（31）に取り付けられる。
【発明の効果】
【００２０】
本発明によれば、ユニットケース（31）の内側に第１ステー（61，62）を通すことによりユニットケース（31）の内側に形成された複数の配置スペースのそれぞれに集塵ユニット（70）を配置して、上記第１ステー（61，62）に集塵ユニット（70）の第１電極（71）を取り付けることにより、構造が複雑になるのを防止しつつ、ユニットケース（31）と集塵ユニット（70）とを一体化している。このため、空気清浄ユニットの強度が十分に高められるし、上記第１電極（71）には、第１ステー（61，62）から給電される。したがって、衝撃等の外力に対して強い大型の空気清浄ユニットを実用化できる。また、同形の集塵ユニット（70）を組み合わせて全体を構成することにより、個々の電極を小さくすることができるので、低コスト化を図ることも可能となる。
【００２１】
上記第２の発明によれば、ユニットケース（31）に設けられる第２ステー（63）に第２電極（81）を取り付けることにより、空気清浄ユニットの強度をさらに高めることができるので、衝撃等の外力に対して強い大型の空気清浄ユニットをより確実に実用化できる。
【００２２】
上記第３の発明によれば、上記集塵ユニット（70）を、上記ユニットケース（31）のフレーム（31c，31d，31e，31f）に対して切起片（38）を介して取り付けるようにしているので、構造を簡素化することができる。
【００２３】
上記第４の発明によれば、ユニットケース（31）のフレーム（31c，31d，31e，31f）と、該ユニットケース（31）の外面側に位置する第２ステー（63）がいずれも接地されているので、ユニットケース（31）の外面が接地電位になり、周辺設計を容易にすることができる。また、ユニットケース（31）の外面側に高電圧箇所が少なくなるので、ユニットケース（31）の絶縁構造を簡素化できる。
【００２４】
上記第５の発明によれば、集塵ユニット（70）の第１電極（71）と第２電極（81）とを電極固定部材（90）で互いに固定し、その状態でユニットケース（31）に取り付けるようにしているので、集塵ユニット（70）の第１電極（71）と第２電極（81）との位置関係は周囲の部材から独立になり、空気清浄ユニットに対して外力が加えられても，その外力が集塵ユニット（70）には影響しにくくなる。
【図面の簡単な説明】
【００２５】
【図１】図１は、実施形態に係る空気調和装置の室内ユニットの概略構成を示す縦断面図である。
【図２】図２は、空気清浄ユニットの外観を示す斜視図である。
【図３】図３は、空気清浄ユニットの下面図である。
【図４】図４は、空気清浄ユニットの内部構造を示す概略の縦断面図であり、図３のＸ−Ｘ断面に相当するものである。
【図５】図５は、ストリーマ放電部の近傍を拡大した平面図である。
【図６】図６は、ストリーマ放電部の概略の構成図である。
【図７】図７は、空気清浄ユニットの内部構造（集塵部の構造）を示す斜視図である。
【図８】図８は、集塵部を上流側（下側）から視た平面図である。
【図９】図９は、集塵部を下流側（上側）から視た平面図である。
【図１０】図１０は、集塵ユニットの分解斜視図である。
【図１１】図１１は、集塵電極の一部を拡大した分解斜視図である。
【図１２】図１２は、集塵ユニットの高圧電極の基台部の一部を上流側から視た平面図である。
【図１３】図１３は、集塵ユニットの集塵電極の基台部の一部の横断面図である。
【図１４】図１４は、集塵ユニットの集塵電極の基台部、及び金属枠部の取り付け構造を示す概略の縦断面図である。
【図１５】図１５は、集塵ユニットをユニットケースに取り付ける構造を示す分解者視図である。
【発明を実施するための形態】
【００２６】
以下、本発明の実施形態を図面に基づいて詳細に説明する。
【００２７】
本発明の実施形態は、室内の冷房や暖房を行う空気調和装置（10）である。図１に示すように、空気調和装置（10）は、室内ユニット（11）と室外ユニット（図示省略）とを有している。室内ユニット（11）は、室内の天井に設置される、いわゆる天井埋込型に構成される。室内ユニット（11）は、例えば天井に吊り下げられる天井吊下型であってもよいし、室内の壁に設置される壁掛型であってもよい。
【００２８】
〈室内ユニットの構成〉
図１に示すように、室内ユニット（11）は、天井の内部に埋め込まれる室内ケーシング（12）を備えている。室内ケーシング（12）は、下側が開放された箱状のケーシング本体（13）と、該ケーシング本体（13）の下側の開口部に取り付けられる化粧パネル（14）とを有している。
【００２９】
化粧パネル（14）は、上下に扁平な矩形の板状に形成されており、室内空間に面している。化粧パネル（14）の中央部には、１つの矩形状の吸込口（14a）が形成されている。この吸込口（14a）には、吸込グリル（15）が嵌め込まれている。吸込グリル（15）は、その中央部に複数の吸込孔を有する格子板状に形成されている。化粧パネル（14）には、吸込口（14a）を囲むように４つの吹出口（14b）が形成される。各吹出口（14b）は、吸込口（14a）の４つの側辺に沿って延びる縦長の矩形状に形成されている。各吹出口（14b）の内部には、吹出空気の風向を調節する風向調節板（14c）（フラップ）が設けられている。
【００３０】
ケーシング本体（13）の内部には、ベルマウス（16）と、室内ファン（17）と、室内熱交換器（18）と、ドレンパン（19）とが収容されている。ベルマウス（16）は、吸込グリル（15）の上方に配置されている。吸込グリル（15）とベルマウス（16）の間には、空気清浄部（20）が収容される収容空間（S）が形成される。空気清浄部（20）は、プレフィルタ（21）、空気清浄ユニット（30）、及び脱臭分解部（22）によって構成されている（詳細は後述する）。
【００３１】
室内ファン（17）は、ベルマウス（16）の上方に配置され、ターボファンで構成される。室内ファン（17）は、ベルマウス（16）の中央部から吸い込んだ空気を径方向外方へ搬送する。室内熱交換器（18）は、室内ファン（17）を囲むように配置される。室内熱交換器（18）では、その内部を流れる冷媒と、室内ファン（17）が搬送した空気とが熱交換する。ドレンパン（19）は、室内熱交換器（18）の下方に配置される。ドレンパン（19）の内部には、室内熱交換器（18）の近傍で発生した結露水が回収される。
【００３２】
室内ユニット（11）では、吸込グリル（15）に吸い込まれた空気が、空気清浄部（20）、ベルマウス（16）、及び室内熱交換器（18）を順に通過する。室内熱交換器（18）で冷却又は加熱された空気は、各吹出口（14b）から室内空間へ供給される。
【００３３】
〈空気清浄部の全体構成〉
図１に示すように、空気清浄部（20）は、室内ユニット（11）の収容空間（S）に配置される。収容空間（S）では、上流側から下流側に向かって順に、プレフィルタ（21）、空気清浄ユニット（30）、及び脱臭分解部（22）が配置される。
【００３４】
プレフィルタ（21）は、吸込口（14a）から吸い込まれた空気中の比較的大きな塵埃を物理的に捕集する。
【００３５】
空気清浄ユニット（30）は、イオン化部（40）（荷電部）と、ストリーマ放電部（50）（放電部）と、集塵部（60）とを有している。イオン化部（40）は、例えばコロナ放電を行うことにより、空気中の塵埃や菌を正又は負の電荷に帯電させる。ストリーマ放電部（50）は、ストリーマ放電を行うことにより、空気を浄化するための活性種（ラジカル、イオン、高速電子、オゾン等）を生成する。集塵部（60）は、イオン化部（40）で帯電した塵埃や菌を電気的に捕集する。空気清浄ユニット（30）の詳細な構成は後述する。
【００３６】
脱臭分解部（22）は、空気中の臭気成分や有害成分を吸着して除去する触媒フィルタで構成されている。具体的に、脱臭分解部（22）は、多数の通風孔を有する基材の表面に触媒や吸着剤等の機能性材料が担持されて構成されている。脱臭分解部（22）の基材は、例えばメッシュ状、ハニカム状、格子状に形成されている。脱臭分解部（22）の触媒としては、マンガン系や貴金属系の触媒が用いられる。また、脱臭分解部（22）の吸着剤としては、ゼオライトや活性炭等が用いられる。脱臭分解部（22）では、臭気成分や有害成分が吸着されて除去される。脱臭分解部（22）に吸着された臭気成分や有害成分は、ストリーマ放電部（50）で発生した活性種によって徐々に分解される。また、脱臭分解部（22）では、ストリーマ放電部（50）で発生した活性種も分解される。
【００３７】
〈空気清浄ユニットの構成〉
空気清浄ユニット（30）の構成について、図２〜図１３を参照しながら詳細に説明する。
【００３８】
−ユニットケース、及びその周辺構造の構成−
図２〜図４に示すように、空気清浄ユニット（30）は、上下に扁平な直方体状のユニットケース（31）を備え、ユニットケース（31）には、上記イオン化部（40）及びストリーマ放電部（50）と、イオン化部（40）及びストリーマ放電部（50）に対して空気の流れ方向下流側に配置された集塵部（60）とが取り付けられている。ユニットケース（31）は、下面パネル（31a）と、上面パネル（31b）と、４枚の側面パネル（31c,31d,31e,31f）とを有し、イオン化部（40）とストリーマ放電部（50）とが取り付けられる矩形の枠状に形成されている。４枚の側面パネル（31c,31d,31e,31f）は、ユニットケース（31）の長手方向の両端側にそれぞれ形成される第１と第２の側面パネル（31c,31d）と、ユニットケース（31）の幅方向の両端側にそれぞれ形成される第３と第４の側面パネル（31e,31f）とで構成され、フレーム（31c，31d，31e，31f）を構成している。ユニットケース（31）は、下面パネル（31a）が吸込グリル（15）に対向し且つ上面パネル（31b）がベルマウス（16）に対向する状態で、収容空間（S）に設置されている。
【００３９】
図２及び図３に示すように、下面パネル（31a）には、複数（本実施形態の例では８つ）の主流入口（32）と、１つの副流入口（33）とが形成されている。また、図４に示すように、上面パネル（31b）には、流出口（34）が形成されている。ユニットケース（31）では、主流入口（32）から流出口（34）に亘って空気が流れる主空気流路（P1）が形成される。また、副流入口（33）は、詳細は後述する副空気流路（P2）を介して主空気流路（P1）と連通している。
【００４０】
複数の主流入口（32）は、下面パネル（31a）のうち第１側面パネル（31c）寄りに形成され、副流入口（33）は、下面パネル（31a）のうち第２側面パネル（31d）寄りに形成されている。各主流入口（32）は、第１側面パネル（31c）の近傍から副流入口（33）に亘って延びる縦長の開口で構成される。各主流入口（32）は、互いに平行となるように等間隔を置いてユニットケース（31）の幅方向に配列されている。副流入口（33）は第２側面パネル（31d）に沿うようにユニットケース（31）の幅方向に延びている。副流入口（33）は、ユニットケース（31）の幅方向の中間部に位置している。
【００４１】
下面パネル（31a）では、副流入口（33）の全体の開口面積が、主流入口（32）の全体の開口面積（全ての主流入口（32）の開口面積を合計した面積）よりも極めて小さくなっている（図３を参照）。従って、空気清浄ユニット（30）に流入した空気のほとんどが主流入口（32）に流入し、残りの空気が副流入口（33）に流入する。
【００４２】
−イオン化部、及びその周辺構造の構成−
図２〜図４に示すように、主空気流路（P1）の上流部には、イオン化部（40）が配置される。イオン化部（40）は、複数のイオン化線（41）と、該イオン化線（41）に対向して配置される複数の荷電用電極（42）とを備えている。
【００４３】
イオン化線（41）は、各主流入口（32）に対応する位置に１本ずつ配置されている。イオン化線（41）は、導電性を有する金属材料（例えばタングステン線）であり、線状の線状電極を構成している。イオン化線（41）は、主流入口（32）の長手方向に真っ直ぐに延びている。イオン化線（41）は、主流入口（32）の長手方向の両端に亘るように張架されている。具体的に、イオン化線（41）の一端は、主流入口（32）のうち第２側面パネル（31d）側の内縁の近傍に固定されている。また、イオン化線（41）の他端は、取付端子（43）及びバネ部材（44）を介して、主流入口（32）のうち第１側面パネル（31c）側の内縁の近傍に固定されている。バネ部材（44）は、イオン化線（41）の長手方向に伸縮変形が可能な弾性部材で構成されている。このバネ部材（44）により、イオン化線（41）の長手方向の張力が適正に調節される。
【００４４】
荷電用電極（42）は、各主流入口（32）に対応する位置に配置されている。イオン化部（40）では、一対の荷電用電極（42）の間にイオン化線（41）が介在する。荷電用電極（42）は、導電性を有する金属材料で構成される。荷電用電極（42）は、主流入口（32）やイオン化線（41）の長手方向に真っ直ぐに伸びた板状に形成され、その板厚方向の端面がイオン化線（41）に対向している。
【００４５】
図４に示すように、空気清浄ユニット（30）は、イオン化線（41）及び荷電用電極（42）に電位差を付与するための荷電用電源部（45）を備えている。荷電用電源部（45）は、高圧電源で構成され、プラス側が各イオン化線（41）と接続され、マイナス側が各荷電用電極（42）と接続されている。荷電用電源部（45）のマイナス側は接地されるため、各荷電用電極（42）は実質的にゼロ電位となる。
【００４６】
−ストリーマ放電部、及びその周辺構造の構成−
図２及び図３に示すように、副流入口（33）の奥側には、ストリーマ放電部（50）が収容される放電用流路（35）が形成されている。ストリーマ放電部（50）及び放電用流路（35）は、空気流れと直交する同一の平面上に配置されている。
【００４７】
放電用流路（35）は、第２側面パネル（31d）に沿ってユニットケース（31）の幅方向に延びている。また、上述した主流入口（32）の内部には、２本のダクト（36）が配置されている。ダクト（36）は、ストリーマ放電部（50）で生成した活性種を主空気流路（P1）へ供給するための供給部を構成する。各ダクト（36）は、主流入口（32）の長手方向に真っ直ぐ延びており、隣接する２つの荷電用電極（42）の内部に保持されている。各ダクト（36）の内部流路（36a）は、各々の内部流路（36a）に対応する連通路（37）を介して放電用流路（35）と連通している。また、各ダクト（36）の下流側の面には、多数の円形状の空気流出孔（36b）が形成される。これらの空気流出孔（36b）は、ダクト（36）の長手方向に等間隔を置いて配列される。このように、空気清浄ユニット（30）では、副流入口（33）、連通路（37）、ダクト（36）の内部流路（36a）、及び空気流出孔（36b）が、副空気流路（P2）を構成している。
【００４８】
図５及び図６に示すように、ストリーマ放電部（50）は、棒状の３つの放電電極（51）と、これらの放電電極（51）に対向する１つの対向電極（52）と、各放電電極（51）を支持する支持部材（53）とを備えている。支持部材（53）は、１つの基板部（53a）と、該基板部（53a）に支持される３つの支持部（53b）とを備えている。基板部（53a）は、副流入口（33）の長手方向に沿って延びる板状に形成されている。３つの支持部（53b）は、基板部（53a）から上方（上面パネル（31b）側）に向かって突出している。各支持部（53b）は、基板部（53a）の長手方向に等間隔を置いて配列される。各支持部（53b）の突端には、棒状の放電電極（51）が支持されている。
【００４９】
放電電極（51）は、副流入口（33）の長手方向に沿って延びる棒状に形成される。放電電極（51）は、導電性の金属材料（例えばタングステン線）で構成される。対向電極（52）は、各放電電極（51）の両端部にそれぞれ対向するように、該放電電極（51）の長手方向に沿って延びる板状に形成される。対向電極（52）は、導電性の金属材料で構成される。
【００５０】
図６に示すように、ストリーマ放電部（50）は、放電電極（51）及び対向電極（52）に電位差を付与するための放電用電源部（54）を備えている。放電用電源部（54）は、高圧電源で構成され、マイナス側が対向電極（52）と接続し、プラス側が放電電極（51）と接続している。放電用電源部（54）のマイナス側は接地されるため、対向電極（51）は実質的にゼロ電位となる。なお、ストリーマ放電部（50）では、例えば対向電極（51）をプラス側に接続し、放電電極（52）を接地して放電を行うようにしてもよい。
【００５１】
−集塵部、及びその周辺構造の構成−
図７〜図９に示すように、本実施形態の集塵部（60）は、６つの集塵ユニット（70）が組み合わされて構成される。各集塵ユニット（70）は、上記ユニットケース（31）と、該ユニットケース（31）に取り付けられた４本の縦ステー（61）及び１本の横ステー（62）からなる第１ステー（61，62）と、１本の接地用ステー（63）からなる第２ステー（63）とによって主空気流路（P1）に保持されている。第１ステー（61，62）は、フレーム（31c，31d，31e，31f）の内側に通された梁であって、該フレーム（31c，31d，31e，31f）の内側に各集塵ユニットを配列する複数の配置スペースを区画し、かつ上記集塵ユニット（70）が取り付けられる部材である。各縦ステー（61）及び横ステー（62）は、集塵ユニット（70）の第１電極（高圧電極（71））にプラスの電位を付与するための給電部材（高圧側給電部）として機能する。
【００５２】
また、接地用ステー（63）は、集塵ユニット（70）の第２電極（集塵電極（接地電極）（81））を接地するための接地部材（接地側給電部）として機能する。縦ステー（61）及び横ステー（62）は、集塵部（60）の上流部に配置され、接地用ステー（63）は、集塵部（60）の下流部に配置される。
【００５３】
図７及び図８に示すように、４本の縦ステー（61）は、ユニットケース（31）の第３及び第４側面パネル（31e,31f）の間に支持されている。各縦ステー（61）は、ユニットケース（31）の幅方向に延びる棒状に形成され、互いに平行となるようにユニットケース（31）の長手方向に等間隔を置いて配置される。具体的に、これらの縦ステー（61）は、第１側面パネル（31c）に隣接する第１縦ステー（61a）と、第２側面パネル（31d）に隣接する第２縦ステー（61b）と、第１縦ステー（61a）と第２縦ステー（61b）の間に配列される第３及び第４縦ステー（61c,61d）とで構成される。各縦ステー（61）の長手方向の一端は、第１連結部材（64a）を介して第３側面パネル（31e）に連結している。各縦ステー（61）の長手方向の他端は、第２連結部材（64b）を介して第４側面パネル（31f）に連結している。これらの連結部材（64a,64b）は、絶縁性の樹脂材料で構成される。これにより、ユニットケース（31）と各縦ステー（61）とは、互いに電気的に絶縁状態となる。
【００５４】
横ステー（62）は、第１側面パネル（31c）及び第２側面パネル（31d）の各近傍に亘って、ユニットケース（31）の長手方向に延びる棒状に形成される。横ステー（62）は、各縦ステー（61）と直交するように、該各縦ステー（61）の下面における長手方向の中間部に固定される。これにより、横ステー（62）と各縦ステー（61）とが電気的に接続される。
【００５５】
図９に示すように、接地用ステー（63）は、集塵部（60）の下流端に配置され、第１側面パネル（31c）及び第２側面パネル（31d）に亘って、ユニットケース（31）の長手方向に延びている。接地用ステー（63）の長手方向の一端は、第１側面パネル（31c）の幅方向の中間部に固定される。接地用ステー（63）の長手方向の他端は、第２側面パネル（31d）の幅方向の中間部に固定される。つまり、接地用ステー（63）は、上述した横ステー（62）と空気流れ方向にオーバーラップしている。接地用ステー（63）は、この接地用ステー（63）が取り付けられたユニットケース（31）のフレーム（31c，31d，31e，31f）とともに接地状態となっている。
【００５６】
図４及び図１０に示すように、各集塵ユニット（70）は、高圧電極（71）と集塵電極（81）と枠部材（電極固定部材）（90）とを備えている。集塵ユニット（70）では、高圧電極（71）が第１電極を構成し、集塵電極（81）が第２電極を構成する。高圧電極（71）が上記第１ステー（61，62）に取り付けられ、集塵電極（81）が上記フレーム（31c，31d，31e，31f）と上記第２ステー（63）に取り付けられている。また、枠部材（90）は、高圧電極（71）と集塵電極（81）との相対的な位置を決定するように、両者の電極（71,81）を支持する。
【００５７】
上記フレーム（31c，31d，31e，31f）と上記第２ステー（63）には、集塵電極（81）を取り付けるための固定部（25）が設けられている。この固定部（25）は、第２ステー（63）に形成されたネジ穴（63a）（図９参照）と、上記フレーム（31c，31d，31e，31f）の第３と第４の側面パネル（31e,31f）に形成された切起片（38）に形成されたネジ穴（38a）（図２，４，８，１５参照）により構成されている。
【００５８】
高圧電極（71）は、導電性の樹脂材料で構成される。より詳細には、高圧電極（71）は、体積抵抗率が１０８Ω・ｃｍ以上１０１３Ω・ｃｍ未満に設定され、いわゆる微導電性の樹脂材料で構成される。集塵電極（81）は、導電性の金属材料で構成される。より詳細には、集塵電極（81）は、薄板状のステンレスバネ鋼によって構成される。
【００５９】
枠部材（90）は、集塵電極（81）を囲む矩形状に形成されている。枠部材（90）は、互いに対向する板状の２つの樹脂枠部（91）と、互いに対向する板状の２つの金属枠部（100）とが組み合わされて構成される。樹脂枠部（91）は、絶縁性の樹脂材料で構成され、金属枠部（100）は、導電性の金属材料で構成される。
【００６０】
空気清浄ユニット（30）は、高圧電極（71）と集塵電極（81）とに電位差を付与するための集塵用電源部（65）を備えている（図４を参照）。集塵用電源部（65）は、高圧電源で構成される。集塵用電源部（65）のプラス側は、高圧側給電部（縦ステー（61）及び横ステー（62））を介して高圧電極（71）と接続している。また、集塵用電源部（65）のマイナス側は、接地用ステー（63）及び金属枠部（100）を介して集塵電極（81）と接続している。集塵用電源部（65）のマイナス側は接地されるため、集塵電極（81）は実質的にゼロ電位となる。
【００６１】
−集塵ユニットの詳細な構成−
集塵ユニット（70）の詳細な構成について、図１０から図１５を参照しながら更に詳細に説明する。高圧電極（71）と集塵電極（81）とは、多数の通風孔（72,82）を有する格子構造の基台部（73,83）と、該基台部（73,83）から通風孔（72,82）の軸方向に突出する多数の突起部（74,84）とをそれぞれ有している。
【００６２】
高圧電極（71）の基台部（73）は、縦ステー（61）に沿って延びる３つの縦壁部（75）と、該縦壁部（75）に直交する多数の横壁部（76）とを有し、これらの壁部（75,76）が組み合わされて四角格子状に形成される（図１２を参照）。高圧電極（71）の基台部（73）には、縦長の多数の通風孔（72）が形成される。これらの通風孔（72）は、横ステー（62）に沿った方向に延びる長穴によって構成される。
【００６３】
高圧電極（71）の各突起部（74）は、各横壁部（76）から空気の下流側（集塵電極（81）の基台部（83）側）に向かってそれぞれ突出した板状に形成される。高圧電極（71）では、各突起部（74）が横壁部（76）に沿うように所定の間隔で配列される。また、高圧電極（71）では、複数の突起部（74）が、該突起部（74）の板厚方向に沿って等間隔置きに配列される。高圧電極（71）の各突起部（74）は、集塵電極（81）の各通風孔（82）にそれぞれ挿通される（図１３を参照）。
【００６４】
高圧電極（71）には、基台部（73）から上流側に突出する複数の上流側突起部（77）が形成されている。各上流側突起部（77）は、高圧電極（71）の突起部（74）及び横壁部（76）と概ね同じ厚みの板状に形成される。また、各上流側突起部（77）は、高圧電極（71）の各通風孔（72）の長辺部に沿うように延びており、高圧電極（71）の突起部（74）よりも幅広に形成される。
【００６５】
図１０に示すように、高圧電極（71）の基台部（73）には、縦ステー（61）に隣接する一対の外側面にそれぞれ第１と第２の取付板（78,79）が設けられる。第１取付板（78）及び第２取付板（79）は、図１５に示すように、ビス（26）で各縦ステー（61）にビス孔（61e）を通して固定される。これにより、高圧電極（71）は、縦ステー（61）と電気的に接続される。第１取付板（78）は、高圧電極（71）の基台部（73）の外側面のうち集塵ユニット（70）の隅部に対応する位置に配置されている。第１取付板（78）は、上下に扁平な板状に形成されている。第１取付板（78）には、ビス穴（78a）が板厚方向に貫通して形成される。
【００６６】
第２取付板（79）は、高圧電極（71）の基台部（73）の外側面の長手方向の中間部に配置されている。第２取付板（79）は、上下に扁平且つ縦ステー（61）に沿って延びる長板状に形成されている。第２取付板（79）の長手方向の一端部寄りには、ビス穴（79a）が板厚方向に貫通して形成される。第２取付板（79）の長手方向の他端部寄りには、凸部（79b）が形成される。凸部（79b）は、第２取付板（79）の下流面から枠部材（90）に向かって突出している。凸部（79b）は、上下方向に延びる円柱状に形成される。
【００６７】
集塵電極（81）の基台部（83）は、縦ステー（61）に沿って延びる複数枚の縦板部（85）と、該縦板部（85）に直交する多数の横板部（86）とを有し、これらの板部（85,86）が格子状に組み合わされて構成される（図１１を参照）。上記集塵電極（81）は、図１２と図１３を比較すればわかるように、高圧電極（71）よりも小さな格子状であり、また、図１０に示しているように、上記ユニットケース（31）の空気流れ方向下流側に配置されている。
【００６８】
複数の縦板部（85）は、横ステー（62）に沿う方向に等間隔を置いて配列される。図１１に示すように、複数の縦板部（85）は、交互に配列される第１縦板部（85a）と第２縦板部（85b）とで構成される。第１縦板部（85a）の上下の高さは、第２縦板部（85b）の上下の高さよりも大きい。各縦板部（85）における空気の上流側の端部には、複数のスリット（87）が形成される。このスリット（87）は、縦板部（85）の長手方向に等間隔を置いて配列される。
【００６９】
複数の横板部（86）は、縦ステー（61）に沿う方向に等間隔を置いて配列される。図１１に示すように、複数の横板部（86）の空気の下流側の端部には、複数のスリット（88）が形成される。横板部（86）のスリット（88）は、該横板部（86）の長手方向に等間隔を置いて配列される。横板部（86）の複数のスリット（88）は、交互に配列される第１スリット（88a）と第２スリット（88b）とで構成される。第１スリット（88a）の上下の高さは、第２スリット（88b）の上下の高さよりも大きい。
【００７０】
集塵電極（81）の基台部（83）では、横板部（86）の第１スリット（88a）に第１縦板部（85a）が差し込まれ、横板部（86）の第２スリット（88b）に第２縦板部（85b）が差し込まれる。換言すると、集塵電極（81）の基台部（83）では、第１縦板部（85a）のスリット（87）と、第２縦板部（85b）のスリット（87）とにそれぞれ横板部（86）が差し込まれる。これにより、集塵電極（81）では、四角格子構造の基台部（83）が構成される。つまり、集塵電極（81）の基台部（83）は、複数の金属板（縦板部（85）及び横板部（86））が格子状に組み合わされた金属格子部を構成する。
【００７１】
集塵電極（81）の各突起部（84）は、横板部（86）から空気の上流側（高圧電極（71）の基台部（73）側）に向かってそれぞれ突出した板状に形成される。集塵電極（81）では、各突起部（84）が横板部（86）に沿うように所定の間隔で配列される。また、集塵電極（81）では、複数の突起部（84）が、該突起部（84）の板厚方向に沿って等間隔置きに配列される。集塵電極（81）の各突起部（84）は、高圧電極（71）の各通風孔（72）にそれぞれ挿通される（例えば図１２を参照）。
【００７２】
図１２に示すように、集塵ユニット（70）の上流端では、高圧電極（71）の各上流側突起部（77）と集塵電極（81）の各突起部（84）とが対向する。これにより、高圧電極（71）の各上流側突起部（77）と集塵電極（81）の各突起部（84）との間には、空気中の塵埃や菌を捕集するための電界が形成される。また、集塵ユニット（70）の上流部では、高圧電極（71）の各通風孔（72）と、集塵電極（81）の各突起部（84）の外周面との間に空気中の塵埃や菌を捕集するための電界が形成される。更に、図１３に示すように、集塵ユニット（70）の下流部では、集塵電極（81）の各通風孔（82）と、高圧電極（71）の各突起部（74）の外周面との間に空気中の塵埃や菌を捕集するための電界が形成される。
【００７３】
図１０に示すように、枠部材（90）は、矩形状に形成され、集塵電極（81）の基台部（83）の周囲に配置されている。枠部材（90）は、互いに対向する一対の樹脂枠部（91）と、互いに対向する一対の金属枠部（100）とが互いに連結されて構成される。この枠部材（90）により、上記高圧電極（71）及び集塵電極（81）が互いに位置決めされた状態で固定される。
【００７４】
一対の樹脂枠部（91）は、集塵電極（81）の基台部（83）のうち縦板部（85）に沿った外側面に隣接するように配置される。つまり、樹脂枠部（91）は、各電極（71,81）の各突起部（74,84）の板厚方向に伸びている。樹脂枠部（91）は、樹脂枠本体（92）と、一対の締結部（93）と、第１から第３までの取付部（絶縁取付部）（94,95,96）と、一対の突出板部（97）とを有している。樹脂枠部（91）は、射出成型によって一体に成型される。
【００７５】
各樹脂枠本体（92）は、縦ステー（61）に沿って延びる略板状に形成され、集塵電極（81）の最も端の列の縦板部（85）にそれぞれ対向して配置される。締結部（93）は、樹脂枠本体（92）の長手方向の両端に一体に形成される。各締結部（93）には、該樹脂枠本体（92）の長手方向の外方に露出するようにネジ穴（93a）がそれぞれ形成される。
【００７６】
第１から第３までの取付部（94,95,96）は、樹脂枠本体（92）の外側面に一体に形成される。第１取付部（94）は、樹脂枠本体（92）の長手方向の一端部の近傍に位置している。第１取付部（94）は、空気の上流側に向かって開口するネジ穴（94a）を有する円柱状に形成される。第１取付部（94）のネジ穴（94a）は、高圧電極（71）の第１取付板（78）のビス穴（78a）と同軸となっている。第２取付部（95）は、樹脂枠本体（92）の長手方向の他端部寄りに位置している。第２取付部（95）は、空気の上流側に向かって開口するネジ穴（95a）を有する円柱状に形成される。第２取付部（95）のネジ穴（95a）は、高圧電極（71）の第２取付板（79）のビス穴（79a）と同軸となっている。
【００７７】
第３取付部（96）は、第１取付部（94）と第２取付部（95）の間のうち該第２取付部（95）寄りに位置している。第３取付部（96）は、空気の上流側に向かって開口する嵌合穴（96a）を有する円柱状に形成される。第３取付部（96）の嵌合穴（96a）は、円柱状の空間を構成しており、高圧電極（71）の第２取付板（79）の凸部（79b）と同軸となっている。第３取付部（96）の嵌合穴（96a）の内径は、凸部（79b）の外径と概ね等しくなっている。
【００７８】
樹脂枠部（91）と高圧電極（71）との取付状態では、第３取付部（96）の嵌合穴（96a）に高圧電極（71）の凸部（79b）が嵌合する。この結果、枠部材（90）に対する高圧電極（71）の相対的な位置が決定される。つまり、枠部材（90）の第３取付部（96）は、高圧電極（71）の位置決め部を構成する。この状態において、枠部材（90）の第１取付部（94）にビスを介して第１取付板（78）を固定する。同時に、枠部材（90）の第２取付部（95）にビスを介して第２取付板（79）を固定する。この結果、所望の位置に設定された高圧電極（71）が枠部材（90）に保持される。
【００７９】
図１０及び図１３に示すように、一対の突出板部（97）は、各樹脂枠本体（92）の内側面にそれぞれ形成されている。突出板部（97）は、樹脂枠本体（92）を挟んで第３取付部（96）の嵌合穴（96a）と反対側に位置している。突出板部（97）は、上下に延びる長板状に形成され、樹脂枠本体（92）から集塵電極（81）の基台部（83）に向かって内方へ突出している。
【００８０】
一方、集塵電極（81）の基台部（83）では、突出板部（97）に対応する位置に横板部（86）の突端部（86a）が突出する。具体的には、図１３に示すように、集塵電極（81）の基台部（83）では、最も端の縦板部（85）から各横板部（86）の突端部（86a）が外方へ突出する。樹脂枠本体（92）の突出板部（97）は、これらの横板部（86）の所定の２枚の突端部（86a,86a）の間に嵌まり込むように位置及び形状が決定されている。つまり、集塵電極（81）の基台部（83）では、所定の２枚の突端部（86a,86a）の間に突出板部（97）が内嵌する凹部（89a）が構成されている。樹脂枠部（91）と集塵電極（81）との取付状態では、この凹部（89a）の内部に樹脂枠部（91）の突出板部（97）が嵌合する。この結果、枠部材（90）に対応する集塵電極（81）の相対的な位置が決定される。つまり、樹脂枠部（91）の突出板部（97）は、集塵電極（81）の位置決め部を構成する。
【００８１】
一対の金属枠部（100）は、集塵電極（81）の基台部（83）のうち横壁部（76）に沿った外側面に隣接するように配置される。一対の金属枠部（100）は、各樹脂枠部（91）の長手方向の端部に亘るように基台部（73）の横壁部（76）に沿って延びている。金属枠部（100）は、金属枠本体（101）と、金属枠本体（101）から内側に曲げられた曲げ部（102）とを有している。
【００８２】
金属枠本体（101）は、横ステー（62）に沿って延びる略板状に形成され、最も端の横板部（86）にそれぞれ対向して配置される。金属枠本体（101）の長手方向の両端部には、樹脂枠本体（92）の締結部（93）に対応する位置に締結穴（101a）がそれぞれ形成される。また、金属枠本体（101）には、長手方向の両端部寄りに一対の切起部（101b）が形成される。これらの切起部（101b）は、金属枠本体（101）にＵ字状（コ字状）の切れ目を形成した後、この切れ目の内部を枠部材（90）の外側に向かって折り返すことで形成されている。
【００８３】
空気清浄ユニット（30）では、一対の金属枠部（100）のうちの一方の金属枠部（100）の各切起部（101b）が、上述したユニットケース（31）の第３側面パネル（31e）または第４側面パネル（31f）に形成された切起片（38）のネジ穴（38a）にビス（27）で固定され（図１５参照）、他方の金属枠部（100）の各切起部（101b）が、第２ステー（63）に形成されたネジ穴（63a）にビス（27）で固定される（図９参照）。これにより、一対の金属枠部（100）は接地状態となる。
【００８４】
図４及び図９に示すように、絶縁取付部（94,95,96）は、上記ユニットケース（31）の空気流れ方向下流側に露出し、上記高圧側給電部である縦ステー（61）は、絶縁取付部（94,95,96）に対してユニットケース（31）の空気流れ方向上流側に位置している。また、上記高圧側給電部である縦ステー（61）は、上記集塵ユニット（70）の一対の対辺に配置されている。一方、接地側給電部である接地用ステー（63）は、該集塵ユニット（70）の他の一対の対辺に配置されている。
【００８５】
金属枠部（100）の曲げ部（102）は、金属枠本体（101）における空気流れの下流側の端部に形成される。曲げ部（102）は、金属枠本体（101）の端部を枠部材（90）の内側へ折り返すことで形成される。曲げ部（102）は、金属枠本体（101）の長手方向の両端に亘って水平に延びている。曲げ部（102）は、集塵電極（81）の基板部（53a）と当接することで、該集塵電極（81）が空気の下流側へ移動するのを禁止する規制部として機能する。また、曲げ部（102）は、金属枠部（100）の板厚方向の曲げ強度を増大させる補強リブとして機能する。
【００８６】
より詳細には、本実施形態の曲げ部（102）は、集塵電極（81）の基台部（83）のうち複数の縦板部（85）の突端部（85c）に沿うように屈曲している。図１４に示すように、集塵電極（81）の各縦板部（85）は、最も端の横板部（86）から金属枠本体（101）に向かって外方へ突出しており、この突出した部位が突端部（85c）を構成している。縦板部（85）の各突端部（85c）の下流側端部は、横板部（86）の下流側端部よりも上流寄りに位置し、各突端部（85c）と横板部（86）との間に僅かな段差（89b）が形成される。枠部材（90）と集塵電極（81）の取付状態では、金属枠部（100）の曲げ部（102）が、この段差（89b）の内部に嵌まり込む。これにより、集塵電極（81）の基台部（83）が枠部材（90）の内部から外れることが曲げ部（102）によって規制される。また、曲げ部（102）を段差（89b）に嵌め込むことで、枠部材（90）を空気流れ方向に小型化できる。
【００８７】
以上の構成において、上記集塵電極（81）の空気流れ方向下流側の面と、上記ユニットケース（31）の空気流れ方向下流側の外面とは、ほぼ同一の平面上に配置されている。また、上記切起片（38）により構成された固定部（25）は、上記ユニットケースの空気流れ方向下流側の外面から突出しない位置に配置されている。
【００８８】
−空気を浄化する動作−
空気調和装置（10）の冷房運転や暖房運転時において空気を浄化する動作について説明する。図１に示す空気調和装置（10）の室内ファン（17）が運転されると、室内の空気が吸込口（14a）から収容空間（S）へ吸い込まれる。収容空間（S）では、まず、空気がプレフィルタ（21）を通過する。プレフィルタ（21）では、空気中の比較的大きな塵埃が捕捉される。プレフィルタ（21）を通過した空気は、空気清浄ユニット（30）に流入する。
【００８９】
空気清浄ユニット（30）では、荷電用電源部（45）からイオン化部（40）へ電位差が付与される。また、放電用電源部（54）からストリーマ放電部（50）へ電位差が付与される。また、集塵用電源部（65）から集塵部（60）へ電位差が付与される。
【００９０】
空気清浄ユニット（30）に流入した空気の多くは、主流入口（32）を通じてイオン化部（40）へ供給される。イオン化部（40）では、イオン化線（41）と荷電用電極（42）との間で放電（例えばコロナ放電）が行われ、イオン化線（41）と荷電用電極（42）の間に塵埃や菌を帯電させるための電界が形成される。この結果、イオン化線（41）から荷電用電極（42）に向かってプラスイオンが発生し、このプラスイオンが荷電用電極（42）に衝突する。この結果、イオン化線（41）と荷電用電極（42）の間を流れる空気中の塵埃や菌がプラスに帯電する。
【００９１】
また、空気清浄ユニット（30）に流入した空気の残りは、副流入口（33）を通じて放電用流路（35）へ送られる。放電用流路（35）のストリーマ放電部（50）では、放電電極（51）と対向電極（52）との間でストリーマ放電が行われ、この放電に伴い活性種が発生する。この活性種により、空気中の臭気成分や有害成分が分解・除去される。放電用流路（35）の空気は、残存する活性種とともに連通路（37）、ダクト（36）の内部流路（36a）を順に流れ、空気流出孔（36b）から集塵部（60）の上流側へ流出する。つまり、空気流出孔（36b）を流出した空気は、イオン化部（40）を通過した空気と合流する。この際、空気中に含まれる活性種は、イオン化部（40）を通過した空気の流れにより、集塵部（60）の上流側の全域に拡散する。
【００９２】
合流した空気は、集塵部（60）の各集塵ユニット（70）へ流入する。この空気は、まず、高圧電極（71）の各上流側突起部（77）と、集塵電極（81）の各突起部（84）の間を通過する。上記集塵ユニット（70）では、上記高圧電極（71）に第１ステー（61，62）から給電され、高圧電極（71）と集塵電極（81）に電位差が与えられる。この結果、プラスに帯電した塵埃や菌が、集塵電極（81）の各突起部（84）の上流部の外周面に付着する。次いで、この空気は、高圧電極（71）の基台部（73）の各通風孔（72）と、集塵電極（81）の各突起部（84）の間を通過する。この結果、プラスに帯電した塵埃や菌が、集塵電極（81）の各突起部（84）の下流部の外周面に付着する。次いで、この空気は、集塵電極（81）の基台部（83）の各通風孔（82）と、高圧電極（71）の各突起部（74）の間を通過する。この結果、プラスに帯電した塵埃や菌が、集塵電極（81）の各通風孔（82）の内周面に付着する。このように、集塵ユニット（70）では、接地状態である集塵電極（81）の表面に塵埃や菌が捕捉される。また、集塵ユニット（70）には、ストリーマ放電部（50）で発生した活性種が供給される。このため、集塵電極（81）の表面に付着した菌が、この活性種により分解・除去される。
【００９３】
集塵部（60）を通過した空気は、脱臭分解部（22）を流れる。脱臭分解部（22）では、空気中の臭気成分や有害成分が触媒フィルタに吸着されて除去される。脱臭分解部（22）に吸着された臭気成分や有害成分は、空気中に含まれる活性種によって徐々に分解されていく。この結果、脱臭分解部（22）での臭気成分や有害成分の吸着能力が回復する。
【００９４】
脱臭分解部（22）を通過した空気は、上述したように、室内熱交換器（18）で冷却又は加熱された後、室内空間へ供給される。この結果、空気調和装置（10）では、室内の冷房や暖房とともに室内の空気の浄化が行われる。
【００９５】
−実施形態の効果−
本実施形態によれば、ユニットケース（31）の内側に第１ステー（61，62）である縦ステー（61）と横ステー（62）を通すことにより、ユニットケース（31）の内側に複数の配置スペースを形成して各配置スペースに集塵ユニット（70）を配置している。そして、上記第１ステー（61，62）を構成している縦ステー（61）に集塵ユニット（70）の第１電極（71）を取り付けることにより、構造が複雑になるのを防止しつつ、ユニットケース（31）と集塵ユニット（70）とを一体化している。このため、空気清浄ユニットの強度が十分に高められるし、上記第１電極（71）には、第１ステー（61，62）から給電されるようにしている。したがって、衝撃等の外力に対して強い大型の空気清浄ユニットを実用化できる。また、同形の集塵ユニット（70）を組み合わせて全体を構成することにより、個々の集塵ユニット（70）を小さくすることができるので、低コスト化を図ることも可能となる。
【００９６】
また、上記実施形態によれば、ユニットケース（31）に設けられる第２ステー（63）である接地用ステー（63）に第２電極（81）を取り付けることにより、空気清浄ユニットの強度をさらに高めることができるので、衝撃等の外力に対して強い大型の空気清浄ユニットをより確実に実用化できる。
【００９７】
さらに、本実施形態によれば、上記集塵ユニット（70）を、上記ユニットケース（31）のフレーム（31c，31d，31e，31f）に対して切起片（38）を介して取り付けるようにしているので、構造を簡素化することができる。
【００９８】
また、本実施形態によれば、ユニットケース（31）のフレーム（31c，31d，31e，31f）と、該ユニットケース（31）の外面側に位置する第２ステー（63）をいずれも接地しているので、ユニットケース（31）の外面が接地電位になり、周辺設計を容易にすることができる。また、ユニットケース（31）の外面側に高電圧箇所が少なくなるので、ユニットケース（31）の絶縁構造を簡素化できる。
【００９９】
さらに、本実施形態によれば、集塵ユニット（70）の第１電極（71）と第２電極（81）とを電極固定部材（90）で互いに固定し、集塵ユニット（70）をその状態でユニットケース（31）に取り付けるようにしているので、集塵ユニット（70）の第１電極（71）と第２電極（81）との位置関係は周囲の部材から独立になり、空気清浄ユニットに対して外力が加えられても，その外力が集塵ユニット（70）には影響しにくくなる。
【０１００】
〈その他の実施形態〉
上記実施形態については、以下のような構成としてもよい。
【０１０１】
例えば、上記実施形態では、集塵ユニット（70）を２列にして各列に３つずつ配置しているが、集塵ユニット（70）の列の数や全体の数を変更してもよく、第１ステー（給電部材）（61，62）と固定部（25）で集塵ユニット（70）をユニットケース（31）に取り付けるようになっていればよい。
【０１０２】
また、上記実施形態では、ユニットケース（31）の外面側の中心に第２ステー（63）を通しているが、その配置は、集塵ユニット（70）の配列に応じて適宜変更してもよいし、ステー以外の形態の部材であってもよい。
【０１０３】
また、上記実施形態では、ユニットケース（31）に切り起こし片（38）を形成して固定部（25）にしているが、固定部（25）は切り起こし片（38）でなくてもよい。
【０１０４】
また、上記実施形態の集塵ユニット（70）は、室内の冷房や暖房を行う空気調和装置（10）に搭載されている。しかし、集塵ユニット（70）は、例えば室内を清浄する空気清浄機や、室内の加湿や除湿を行う調湿装置に搭載されてもよい。
【０１０５】
なお、以上の実施形態は、本質的に好ましい例示であって、本発明、その適用物、あるいはその用途の範囲を制限することを意図するものではない。
【産業上の利用可能性】
【０１０６】
以上説明したように、本発明は、被処理空気を清浄化する空気清浄ユニットについて有用である。
【符号の説明】
【０１０７】
30  空気清浄ユニット
31  ユニットケース
31c 第１側面パネル（フレーム）
31d 第２側面パネル（フレーム）
31e 第３側面パネル（フレーム）
31f 第４側面パネル（フレーム）
38  切起片（固定部）
40  荷電部
60  集塵部
61  縦ステー（給電部材，第１ステー）
62  横ステー（給電部材，第１ステー）
63  接地用ステー（第２ステー）
70  集塵ユニット
71  第１電極
81  第２電極
90  枠部材（電極固定部材）
【図１】
2015016405.tif 000003
【図２】
2015016405.tif 000004
【図３】
2015016405.tif 000005
【図４】
2015016405.tif 000006
【図５】
2015016405.tif 000007
【図６】
2015016405.tif 000008
【図７】
2015016405.tif 000009
【図８】
2015016405.tif 000010
【図９】
2015016405.tif 000011
【図１０】
2015016405.tif 000012
【図１１】
2015016405.tif 000013
【図１２】
2015016405.tif 000014
【図１３】
2015016405.tif 000015
【図１４】
2015016405.tif 000016
【図１５】
2015016405.tif 000017